(57)【要約】【課題】足指を伸展させること。【解決手段】靴下１は、伸縮性のある糸で形成され、糸が引き延ばした状態で編み込まれていることにより着用者の足指を伸ばす方向に圧力を加える先縫い部１ｅを備える。【選択図】図１
2018035448.tif 000002
【特許請求の範囲】
【請求項１】
足指を伸ばす力が１２．５ｇｆ／ｃｍ２以上であることを特徴とする靴下。
【請求項２】
伸縮性のある糸で形成され、前記糸が引き延ばした状態で編み込まれていることにより着用者の足指を伸ばす方向に圧力を加える先縫い部を備える請求項１に記載の靴下。
【請求項３】
足指のＤＩＰ関節およびＰＩＰ関節に圧力を加える請求項１または２に記載の靴下。
【発明の詳細な説明】
【技術分野】
【０００１】
本発明は靴下に関する。
【背景技術】
【０００２】
様々な種類の靴下が知られている。例えば、横編機により無縫製で筒状に編成された指
【０００３】
袋を有する靴下であって、指袋の少なくとも親指を挿入する第一指指袋または人差指を挿入する第二指指袋は、指の長さ方向への伸縮率が大きい編組織で編成された部分を有し、指の長さ方向への伸縮率が大きい編組織の部分がガーター編、または、リンクス編で形成され、指袋の指股部近くにおいて、帯状に全周に亘って形成されるものが知られている。
【先行技術文献】
【特許文献】
【０００４】
【特許文献１】特開２００８−６３６９９号公報
【発明の概要】
【発明が解決しようとする課題】
【０００５】
足指を伸展させることで、足指の変形に対する矯正効果が期待できることに着目した。
足指が矯正できると、足裏のバランスが向上し、姿勢を良くする等、理想姿勢に近づけることができる。
１つの側面では、本発明は、足指を伸展させることを目的とする。
【課題を解決するための手段】
【０００６】
上記目的を達成するために、開示の靴下が提供される。この靴下は、伸縮性のある糸で形成され、糸が引き延ばした状態で編み込まれていることにより着用者の足指を伸ばす方向に圧力を加える先縫い部を有している。
【発明の効果】
【０００７】
１態様では、足指を伸展させることができる。
【図面の簡単な説明】
【０００８】
【図１】実施の形態の靴下を示す図である。
【図２】圧力の測定結果を説明する図である。
【発明を実施するための形態】
【０００９】
以下、実施の形態の靴下を、図面を参照して詳細に説明する。
＜実施の形態＞
図１は、実施の形態の靴下を示す図である。
第１の実施の形態の靴下１は、口ゴム部１ａと、レッグ部１ｂと、インステップ部１ｃと、フット部１ｄと、先縫い部１ｅとを備えている。
靴下１は、プレーン編みで作成されている。
【００１０】
靴下１の糸の種類は、例えば綿糸４０／２、ＦＴＹ（フィラメント・ツイストヤーン）７０／７０号、およびゴム糸６９００番を用いている。但し、先縫い部１ｅ１はゴム糸を用いず、ＦＴＹと綿糸の組み合わせで作成されている。
【００１１】
この靴下１は、伸縮性のある糸で先縫い部１ｅが編み込まれている。また、ある程度の糸を引き延ばした状態で先縫い部１ｅを編み込んでいくことで、糸の戻りが強く、その戻りの強さにおいて靴下１は、着用者の足指の関節（ＤＩＰ（Distal InterPhalangeal joint）関節（第１関節）、およびＰＩＰ（Proximal InterPhalangeal joint）関節（第２関節））を伸展させる方向に圧力をかけることができる。これにより、屈み指等の足指の変形に対する矯正効果が期待できる。
靴下１のサイズは特に限定されないが、例えば以下の通りである。
＜Ｓサイズの靴下＞
【００１２】
１コース（編み目）〜２０コースは、口ゴム部１ａである。すなわち、口ゴム部１ａのコース数は２０であり、ゴム糸の張力は２５ｇである。２１〜１６８コースは、レッグ部１ｂである。すなわち、レッグ部１ｂのコース数は１４８であり、ゴム糸の張力はインステップ部１ｃに近づくにつれて段階的に張力が弱くなる。具体的には２１コース目の張力は２５ｇであり、１６８コース目の張力は１２ｇである。
【００１３】
１６９〜１９０コースは、インステップ部１ｃである。すなわち、インステップ部１ｃのコース数は２２であり、ゴム糸の張力は１４ｇである。フット部１ｄのコース数は５０であり、ゴム糸の張力は２５ｇである。
先縫い部１ｅの形状は５本指が収納できるようになっている。
【００１４】
親指部１ｅ１のコース数は４０であり、人差し指部１ｅ２のコース数は３６であり、中指部１ｅ３のコース数は３２であり、薬指部１ｅ４のコース数は２８であり、小指部１ｅ５のコース数は３０である。
【００１５】
小指部１ｅ５のコース数が薬指部１ｅ４のコース数よりも大きく（長く）なっているが、靴下１を編む順番が親指部１ｅ１、人差し指部１ｅ２、中指部１ｅ３、薬指部１ｅ４、フット部１ｄ、小指部１ｅ５となっている。小指部１ｅ１は、他の４つの指部よりも１段下から編み込みを開始する。このため、小指部１ｅ１のコース数が薬指部１ｅ４のコース数よりも大きくなる。
＜Ｌサイズの靴下＞
【００１６】
１コース（編み目）〜２０コースは、口ゴム部１ａである。すなわち、口ゴム部１ａのコース数は２０であり、ゴム糸の張力は２５ｇである。２１〜１８９コースは、レッグ部１ｂである。すなわち、レッグ部１ｂのコース数は１６９であり、ゴム糸の張力はインステップ部１ｃに近づくにつれて段階的に張力が弱くなる。具体的には２１コース目の張力は２５ｇであり、１６８コース目の張力は１２ｇである。
【００１７】
１９０〜２１０コースは、インステップ部１ｃである。すなわち、インステップ部１ｃのコース数は２１であり、ゴム糸の張力は１４ｇである。フット部１ｄのコース数は６６であり、ゴム糸の張力は２５ｇである。
【００１８】
親指部１ｅ１のコース数は４４であり、人差し指部１ｅ２のコース数は４０であり、中指部１ｅ３のコース数は３６であり、薬指部１ｅ４のコース数は３２であり、小指部１ｅ５のコース数は３４である。
＜具体例＞
次に、靴下１の足指の測定方法を、具体例を用いて説明する。
【００１９】
被験者１２名を対象に足指のＰＩＰ関節を固定し、テンションゲージにて親指を除く第２指〜第５指の足指の先端を押しながら、ＰＩＰ関節が動き始める圧力を測定した。
図２は、圧力の測定結果を説明する図である。
平均値（ＡＶＧ）は小数点以下１桁を切り捨てている。
第２指〜第５指は平均１２．５ｃＮ（センチニュートン）にてＰＩＰ関節が動き始めた。ここで、１ｃＮ＝０．０１Ｎ＝０．００１ｋｇｆ／ｃｍ２である。
【００２０】
つまり、ＤＩＰ関節やＰＩＰ関節には、平均で１２．５ｇｆ／ｃｍ２の圧力を加えることにより、足指を伸ばすことができるということが結論づけられる。なお、加える圧力の上限については特に限定されないが、例えば１９ｇｆ／ｃｍ２である。好ましくは、１４ｇｆ／ｃｍ２〜１６ｇｆ／ｃｍ２である。
以上を踏まえて、測定を行った。
足指の測定には圧測定器を使用した。足指のＰＩＰ関節の周囲計を計測し、その周囲計に合わせた足指のモデル型を作成した。
被験者のＰＩＰ関節の周囲計の平均は、第２指４．７４ｃｍ、第３指４．４４ｃｍ、第４指４．３４ｃｍ、第５指４．５ｃｍであった。
【００２１】
市販されている５本指の機能性靴下３種と、上記製法にて作成した靴下１をモデル型にそれぞれ履かせて、足指の第２指〜５指（人差し指〜小指）のＤＩＰ関節とＰＩＰ関節を伸展させる圧力を測定し比較した。
＜測定結果＞
比較例１：４ｇｆ／ｃｍ２
比較例２：３ｇｆ／ｃｍ２
比較例３：４ｇｆ／ｃｍ２
靴下１：１９ｇｆ／ｃｍ２
ここで、比較例１〜比較例３は、市販されている機能性靴下である。
＜考察＞
【００２２】
測定結果に示すように、市販されている機能性５本指靴下では足指のＰＩＰ関節を伸展させる力は非常に弱く、ハンマートゥなどの変形に対しての矯正効果は期待できない。それに対し靴下１は、足指のＰＩＰ関節を伸展させる力を持ち合わせており、屈み指等の足指の変形に対する矯正効果が期待できる。
【００２３】
以上、本発明の靴下を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【符号の説明】
【００２４】
１ａ  口ゴム部
１ｂ  レッグ部
１ｃ  インステップ部
１ｄ  フット部
１ｅ  先縫い部
１ｅ１  親指部
１ｅ２  人差し指部
１ｅ３  中指部
１ｅ４  薬指部
１ｅ５  小指部
【図１】
2018035448.tif 000003
【図２】
2018035448.tif 000004
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
ＦＴＹと綿糸の組み合わせで形成され、前記綿糸を引き延ばした状態で編み込まれていることにより着用者の第２指〜第５指の足指のＰＩＰ関節を伸ばす方向に１２．５ｇｆ／ｃｍ２以上の圧力を加える先縫い部を備えることを特徴とする靴下。
【手続補正２】
【補正対象書類名】明細書
【補正対象項目名】００１９
【補正方法】変更
【補正の内容】
【００１９】
被験者１２名を対象に足指のＰＩＰ関節を固定し、テンションゲージにて親指を除く第２指〜第５指の足指の先端を押しながら、ＰＩＰ関節が動き始める圧力を測定した。
図２は、圧力の測定結果を説明する図である。
平均値（ＡＶＧ）は小数点以下１桁を切り捨てている。
第２指〜第５指は平均１２．５ｃＮ（センチニュートン）にてＰＩＰ関節が動き始めた。ここで、１ｃＮ／ｍ２＝０．０１Ｎ／ｍ２＝０．００１ｋｇｆ／ｃｍ２である。
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
ＦＴＹと綿糸の組み合わせで形成され、前記ＦＴＹを引き延ばした状態で編み込まれていることにより着用者の第２指〜第５指の足指のＰＩＰ関節を伸ばす方向に１２．５ｃＮ以上の圧力を加える先縫い部を備えることを特徴とする靴下。